【手続補正書】
【提出日】平成16年6月14日(2004.6.14)
【手続補正１】
【補正対象書類名】明細書
【補正対象項目名】特許請求の範囲
【補正方法】変更
【補正の内容】
【特許請求の範囲】
【請求項１】
プリンタにダイレクトに接続するためのインタフェースを備え、前記プリンタから印刷対象とする画像データの転送要求を、着脱自在な記憶媒体内に記憶されている画像データを特定するハンドラで受け付け、当該ハンドラでもって特定された画像を前記プリンタに供給する画像供給装置であって、
前記プリンタと前記インタフェースを介してダイレクトに通信可能状態にあって、印刷対象となる画像がファイル名で記述されている印刷要求リストファイルが前記記憶媒体内に存在する場合、当該印刷要求リストファイル内の少なくともファイル名の記述をハンドラで表現した記述にした、新たな印刷要求リストファイルを生成するため変換処理を行う変換手段と、
該変換手段で変換した新たな印刷要求リストファイルをオブジェクトとして、前記プリンタに送信する手段と
を備えることを特徴とする画像供給装置。
【請求項２】
前記変換手段による変換元になる印刷要求ファイルは画像レイアウトや画像リンクなどを記述した形式のファイルであることを特徴とする請求項１に記載の画像供給装置。
【請求項３】
前記変換手段による変換元になる印刷要求リストファイルはＤＰＯＦ形式のファイルであることを特徴とする請求項２に記載の画像供給装置。
【請求項４】
前記プリンタとの間のインタフェースはＵＳＢで接続され、当該インタフェースを用いてＰＴＰプロトコルレイヤを用いて通信することを特徴とする請求項１乃至３のいずれか１項に記載の画像供給装置。
【請求項５】
前記画像供給装置は、光学的に画像を撮像する撮像手段、前記変換手段による変換元になる印刷要求ファイルの作成指示を行うためのユーザインタフェースを備えることを特徴とする請求項１乃至４のいずれか１項に記載の画像供給装置。
【請求項６】
前記変換手段は、前記プリンタと接続開始の初期段階で行われることを特徴とする請求項１乃至５のいずれか１項に記載の記載の画像供給装置。
【請求項７】
前記変換手段は、前記プリンタと接続後に、前記ユーザインタフェースを用いて前記変換手段で変換元になる印刷要求リストファイルが作成された場合に行われることを特徴とする請求項５に記載の画像供給装置。
【請求項８】
プリンタにダイレクトに接続するためのインタフェースを備え、前記プリンタから印刷対象とする画像データの転送要求を、着脱自在な記憶媒体内に記憶されている画像データを特定するハンドラで受け付け、当該ハンドラでもって特定された画像を前記プリンタに供給する画像供給装置の制御方法であって、
前記プリンタと前記インタフェースを介してダイレクトに通信可能状態にあって、印刷対象となる画像がファイル名で記述されている印刷要求リストファイルが前記記憶媒体内に存在する場合、当該印刷要求リストファイル内の少なくともファイル名の記述をハンドラで表現した記述にした、新たな印刷要求リストファイルを生成するため変換処理を行う変換工程と、
該変換工程で変換した新たな印刷要求リストファイルをオブジェクトとして、前記プリンタに送信する工程と
を備えることを特徴とする画像供給装置の制御方法。
【請求項９】
プリンタと、当該プリンタにダイレクトに接続するためのインタフェースを備え、前記プリンタから印刷対象とする画像データの転送要求を、着脱自在な記憶媒体内に記憶されている画像データを特定するハンドラで受け付け、当該ハンドラでもって特定された画像を前記プリンタに供給する画像供給装置で構成される印刷システムであって、
前記プリンタは、
前記画像供給装置から、印刷要求リストファイルを受信し、当該印刷要求リストファイル内の記述に従って、前記画像供給装置に対し印刷すべき画像をハンドルを用いて要求する要求手段と、
該要求手段による要求の結果、前記画像供給装置より転送されてくる画像データを印刷する印刷手段とを備え、
前記画像供給装置は、
前記プリンタと前記インタフェースを介してダイレクトに通信可能状態にあって、印刷対象となる画像がファイル名で記述されている印刷要求リストファイルが前記記憶媒体内に存在する場合、当該印刷要求リストファイル内の少なくともファイル名の記述をハンドラで表現した記述にした、新たな印刷要求リストファイルを生成するため変換処理を行う変換手段と、
該変換手段で変換した新たな印刷要求リストファイルをオブジェクトとして、前記プリンタに送信する手段と、
前記プリンタから要求されたハンドラに対応する画像データを前記プリンタに出力する手段とを備える
ことを特徴とする印刷システム。
【請求項１０】
プリンタにダイレクトに接続するためのインタフェースを備え、前記プリンタを制御しつつ、着脱自在な記憶媒体内に記憶されている画像データを前記プリンタに供給することで画像を印刷させる画像供給装置であって、
前記プリンタと前記インタフェースを介してダイレクトに通信可能状態にあって、印刷対象となる画像がファイル名で記述されている印刷要求リストファイルが前記記憶媒体内に存在する場合、当該印刷要求リストファイル内の少なくともファイル名の記述をハンドラで表現した記述に変換する変換手段と、
該変換手段で変換して得たハンドラを用いて前記プリンタとの通信を行ない、画像を印刷させる制御手段と
を備えることを特徴とする画像供給装置。
【請求項１１】
プリンタにダイレクトに接続するためのインタフェースを備え、前記プリンタから印刷対象とする画像データの転送要求を、着脱自在な記憶媒体内に記憶されている画像データを特定する所定のハンドラで受け付け、当該ハンドラでもって特定された画像を前記プリンタに供給する画像供給装置であって、
前記プリンタと前記インタフェースを介してダイレクトに通信可能状態にあって、印刷対象となる画像を指定するための指定情報が、前記所定のハンドラとは違う形式で記述されている印刷要求リストファイルが前記記憶媒体内に存在する場合、当該印刷要求リストファイル内の前記指定情報の記述を前記所定のハンドラで表現した記述にした、新たな印刷要求リストファイルを生成するため変換処理を行う変換手段と、
該変換手段で変換した新たな印刷要求リストファイルをオブジェクトとして、前記プリンタに送信する手段と
を備えることを特徴とする画像供給装置。
【請求項１２】
前記プリンタとの間のインタフェースはＵＳＢで接続され、当該インタフェースを用いてＰＴＰプロトコルレイヤを用いて通信することを特徴とする請求項１１に記載の画像供給装置。
【請求項１３】
前記画像供給装置は、光学的に画像を撮像する撮像手段、前記変換手段による変換元になる印刷要求ファイルの作成指示を行うためのユーザインタフェースを備えることを特徴とする請求項１１又は１２に記載の画像供給装置。
【請求項１４】
前記変換手段は、前記プリンタと接続開始の初期段階で行われることを特徴とする請求項１１乃至１３のいずれか１項に記載の記載の画像供給装置。
【請求項１５】
前記変換手段は、前記プリンタと接続後に、前記ユーザインタフェースを用いて前記変換手段で変換元になる印刷要求リストファイルが作成された場合に行われることを特徴とする請求項１３に記載の画像供給装置。
【請求項１６】
プリンタにダイレクトに接続するためのインタフェースを備え、前記プリンタから印刷対象とする画像データの転送要求を、着脱自在な記憶媒体内に記憶されている画像データを特定する所定のハンドラで受け付け、当該ハンドラでもって特定された画像を前記プリンタに供給する画像供給装置の制御方法であって、
前記プリンタと前記インタフェースを介してダイレクトに通信可能状態にあって、印刷対象となる画像を指定するための指定情報が、前記所定のハンドラとは違う形式で記述されている印刷要求リストファイルが前記記憶媒体内に存在する場合、当該印刷要求リストファイル内の前記指定情報の記述を前記所定のハンドラで表現した記述にした、新たな印刷要求リストファイルを生成するため変換処理を行う変換工程と、
該変換工程で変換した新たな印刷要求リストファイルをオブジェクトとして、前記プリンタに送信する工程と
を備えることを特徴とする画像供給装置の制御方法。
【請求項１７】
プリンタにダイレクトに接続可能なインタフェースを備え、前記プリンタから印刷対象とする画像データの転送要求を、着脱自在な記憶媒体内に記憶されている画像データを特定するハンドラで受け付け、当該ハンドラでもって特定された画像を前記プリンタに供給する画像供給装置であって、印刷対象となる画像がファイル名で記述されている印刷要求リストファイルが前記記憶媒体内に存在する場合、当該印刷要求リストファイル内の少なくともファイル名の記述をハンドラで表現した記述にした、新たな印刷要求リストファイルを生成するため変換処理を行う変換手段と、該変換手段で変換した新たな印刷要求リストファイルをオブジェクトとして、前記プリンタに送信する手段と、前記プリンタから要求されたハンドラに対応する画像データを前記プリンタに出力する手段とを備える画像供給装置と通信するプリンタ装置であって、
前記ハンドラを用いる通信規格の実行を前記画像供給装置に通知する通知手段と、
前記通知手段による通知に応じて、少なくともファイル名の記述を前記ハンドラでの表現に変換された印刷要求リストファイルを、前記画像供給装置から受信する受信手段と、
当該印刷要求リストファイル内の記述に従って、前記画像供給装置に対し印刷すべき画像をハンドルを用いて要求する要求手段と、
該要求手段による要求の結果、前記画像供給装置より転送されてくる画像データを印刷する印刷手段と
を備えることを特徴とするプリンタ装置。
【請求項１８】
プリンタにダイレクトに接続可能なインタフェースを備え、前記プリンタから印刷対象とする画像データの転送要求を、着脱自在な記憶媒体内に記憶されている画像データを特定するハンドラで受け付け、当該ハンドラでもって特定された画像を前記プリンタに供給する画像供給装置であって、印刷対象となる画像がファイル名で記述されている印刷要求リストファイルが前記記憶媒体内に存在する場合、当該印刷要求リストファイル内の少なくともファイル名の記述をハンドラで表現した記述にした、新たな印刷要求リストファイルを生成するため変換処理を行う変換手段と、該変換手段で変換した新たな印刷要求リストファイルをオブジェクトとして、前記プリンタに送信する手段と、前記プリンタから要求されたハンドラに対応する画像データを前記プリンタに出力する手段とを備える画像供給装置と通信するプリンタ装置の制御方法であって、
前記ハンドラを用いる通信規格の実行を前記画像供給装置に通知する通知工程と、
前記通知工程による通知に応じて、少なくともファイル名の記述を前記ハンドラでの表現に変換された印刷要求リストファイルを、前記画像供給装置から受信する受信工程と、
当該印刷要求リストファイル内の記述に従って、前記画像供給装置に対し印刷すべき画像をハンドルを用いて要求する要求工程と、
該要求工程による要求の結果、前記画像供給装置より転送されてくる画像データを印刷する印刷工程と
を備えることを特徴とするプリンタ装置の制御方法。